(57)【要約】【課題】利用者が手元の媒体見ていても、読み取りが成功したのか否かを利用者に伝達できるようにする。【解決手段】媒体２０から識別情報（例えば、バーコード等）２１を読み取る読取部１６０と、媒体２０に光を照射する照明部１７０とを有し、照明部１７０は、読取部１６０による識別情報の読み取りが成功した場合と失敗した場合とで、予め定められた異なる形態の光（例えば、異なる色の光や、異なる投影形状の光等）を媒体２０に照射することにより、識別情報の読み取りが成功したのか否かを利用者１０に伝達する。【選択図】図１
2010286947.tif 000002
【特許請求の範囲】
【請求項１】
媒体から識別情報を読み取る識別情報読取装置において、
前記媒体から前記識別情報を読み取る読取部と、
前記媒体に光を照射する照明部とを有し、
前記照明部は、前記読取部による前記識別情報の読み取りが成功した場合と失敗した場合とで、予め定められた異なる形態の光を前記媒体に照射する
ことを特徴とする識別情報読取装置。
【請求項２】
請求項１に記載の識別情報読取装置において、
前記媒体に照射される光は、前記読取部による前記識別情報の読み取りが成功した場合と失敗した場合とで、色が異なる
ことを特徴とする識別情報読取装置。
【請求項３】
請求項１又は請求項２に記載の識別情報読取装置において、
前記媒体に照射される光は、前記読取部による前記識別情報の読み取りが成功した場合と失敗した場合とで、投影形状が異なる
ことを特徴とする識別情報読取装置。
【請求項４】
請求項３に記載の識別情報読取装置において、
前記照明部は、光を発する発光部と、光を部分的に遮断するフィルタとを備え、
前記媒体に照射される光は、前記発光部からの光が前記フィルタによって部分的に遮断されることによって、投影形状が形成される
ことを特徴とする識別情報読取装置。
【請求項５】
請求項３に記載の識別情報読取装置において、
前記照明部は、前記媒体に向けて光を発する第１発光部と、光を発する第２発光部と、第２発光部が発した光を、当該第１発光部を通過させて、前記媒体に投影させる投影部とを備え、
前記媒体に照射される光は、前記第２発光部が発した光が前記第１発光部を通過する際に前記第１発光部によって部分的に遮断されることによって、投影形状が形成される
ことを特徴とする識別情報読取装置。
【請求項６】
請求項１乃至請求項５のいずれか一項に記載の識別情報読取装置において、
前記読取部は、前記媒体と対向して前記媒体の画像を当該読取部の内部に取り込む読取口が下向きに設けられており、
前記照明部は、前記読取口の周囲又は内部に設けられており、前記媒体に対して、前記媒体の上方から下向きに、光を照射する
ことを特徴とする識別情報読取装置。
【請求項７】
請求項１乃至請求項５のいずれか一項に記載の識別情報読取装置において、
前記読取部は、前記媒体と対向して前記媒体の画像を当該読取部の内部に取り込む読取口が上向きに設けられており、
前記照明部は、前記読取口の周囲又は内部に設けられており、前記媒体に対して、前記媒体の下方から上向きに、光を照射する
ことを特徴とする識別情報読取装置。
【請求項８】
請求項１乃至請求項７のいずれか一項に記載の識別情報読取装置において、
前記照明部は、光を点滅させながら照射する
ことを特徴とする識別情報読取装置。
【発明の詳細な説明】
【技術分野】
【０００１】
本発明は、媒体から識別すべき情報（以下、「識別情報」と称する）を光学的に読み取る識別情報読取装置に関する。
【背景技術】
【０００２】
この種の識別情報読取装置としては、バーコード(二次元バーコードを含む)を光学的に読み取るバーコードリーダとして構成されているものがある（例えば、特許文献１参照）。
その中でも、例えば、図７に示す構成のものがある。図７は、従来例の識別情報読取装置の説明図である。
図７（ａ）に示す識別情報読取装置５０は、読取部６０と表示部６５と照明部７０とを有する構成となっている。
【０００３】
読取部６０は、利用者１０によって所持されている媒体２０から識別情報２１を光学的に読み取る構成要素である。図７に示す例では、読取部６０は、筐体５１の正面側に、筐体５１から突出して設けられている。この読取部６０は、読取口６１が下向きに設けられている。なお、読取口６１は、媒体２０と対向して、媒体２０の画像を読取部６０の内部に取り込む部位である。
表示部６５は、利用者１０への各種の指示や通知情報等を表示する構成要素である。表示部６５は、筐体５１の正面側で、かつ、読取部６０の近傍に設けられている。
照明部７０は、光を媒体２０に照射する構成要素である。照明部７０は、読取口６１の周囲又は内部に設けられている。
【０００４】
識別情報読取装置５０は、利用者１０の接近を検出すると、表示部６５が、利用者１０に対して、媒体２０を読取部６０にかざす（提示する）旨の指示を表示する。利用者１０は、表示部６５に表示された指示に従って、媒体２０を読取部６０にかざす（提示する）。
【０００５】
このとき、識別情報読取装置５０は、照明部７０が、識別情報２１をスキャンする位置を指し示すための赤色の照明光（以下、「スキャン用の照明光」と称する）７６（図７（ｂ）及び図７（ｃ）参照）を媒体２０に照射する。利用者１０は、識別情報２１がこのスキャン用の照明光７６の中に入るように、媒体２０の位置を合わせる。すると、読取部６０が、媒体２０を検知して、媒体２０から識別情報２１を読み取る。なお、識別情報２１は、媒体２０の表面に、例えば、バーコード（二次元バーコードを含む）等の形態で設けられている。
【０００６】
この後、識別情報読取装置５０は、図７（ｂ）に示すように、識別情報２１の読み取りが成功した場合に、表示部６５が、読み取りが成功した旨の通知情報（例えば、「ＯＫ」等）を表示する。
一方、識別情報読取装置５０は、図７（ｃ）に示すように、識別情報２１の読み取りが失敗した場合に、表示部６５が、読み取りが失敗した旨の通知情報（例えば、「もう一度かざしてください」や「ＮＧ」等）を表示する。
識別情報読取装置５０は、このように、表示部６５が識別情報２１の読取結果の通知情報を表示することにより、読み取りが成功したのか否かを利用者１０に伝達する。
【先行技術文献】
【特許文献】
【０００７】
【特許文献１】特開２００５−２５０８５８号公報（図１）
【発明の概要】
【発明が解決しようとする課題】
【０００８】
しかしながら、従来の識別情報読取装置は、読取部と表示部とが異なる位置（少なくとも、利用者からの視線の方向が異なる位置）に設けられているため、利用者が、媒体を読取部にかざす（提示する）操作を行うために、手元の媒体を見ている場合に、表示部に表示された通知情報を見落とすことがあった。
そのため、従来の識別情報読取装置は、読み取りが成功したのか否かを利用者に伝達できない場合がある、という課題があった。
【０００９】
なお、識別情報読取装置の中には、通知情報を表示部に表示した場合に、音で知らせるものがある。しかしながら、識別情報読取装置が騒がしい場所に設置されている場合や、利用者が聾唖者（ろうあしゃ）である場合に、利用者は、音が聞こえないことがある。そのため、このように構成された識別情報読取装置であっても、利用者が、表示部に表示された通知情報を見落とすことがあった。
【００１０】
なお、表示部に表示された通知情報を見落とした場合に、利用者は、どのように行動すればよいのかが判らないため、識別情報読取装置の前に留まったり、係員に尋ねたりすることが多い。そのため、従来の識別情報読取装置は、これにより、稼働率の低下を招いたり、係員に利用者への説明を強いたりしていた。
【００１１】
本発明は、前記した課題を解決するためになされたものであり、利用者が手元の媒体を見ていても、読み取りが成功したのか否かを利用者に伝達できる識別情報読取装置を提供することを主な目的とする。
【課題を解決するための手段】
【００１２】
前記目的を達成するため、本発明は、媒体から識別情報を読み取る識別情報読取装置であって、前記媒体から前記識別情報を読み取る読取部と、前記媒体に光を照射する照明部とを有し、前記照明部は、前記読取部による前記識別情報の読み取りが成功した場合と失敗した場合とで、予め定められた異なる形態の光を前記媒体に照射する構成とする。
【００１３】
この識別情報読取装置は、読み取りが成功したのか否かを利用者に伝達する手段として、媒体に照射する光を利用する。
そのために、この識別情報読取装置は、照明部が、識別情報の読み取りが成功した場合と失敗した場合とで、予め定められた異なる形態の光を媒体に照射する。媒体に照射された光は、媒体で反射又は媒体を透過する。したがって、利用者は、媒体に照射された光の形態（例えば、光の色や、投影された光の形状等）を視認することができる。媒体に照射された光は、読み取りが成功したのか否かを表している。そのため、利用者は、媒体を読取部にかざす（提示する）操作を行うために手元の媒体を見ていても、読み取りが成功したのか否かを認識することができる。
【発明の効果】
【００１４】
本発明によれば、利用者が手元の媒体を見ていても、読み取りが成功したのか否かを利用者に伝達できる識別情報読取装置を提供することができる。
【図面の簡単な説明】
【００１５】
【図１】実施形態１に係る識別情報読取装置の説明図である。
【図２】実施形態１に係る識別情報読取装置の内部ブロック図である。
【図３】実施形態２に係る識別情報読取装置の説明図（１）である。
【図４】実施形態２に係る識別情報読取装置の説明図（２）である。
【図５】実施形態２に係る照明部の変形例を示す図である。
【図６】実施形態３に係る識別情報読取装置の説明図である。
【図７】従来例の識別情報読取装置の説明図である。
【発明を実施するための形態】
【００１６】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１７】
［実施形態１］
以下、図１及び図２を参照して、本実施形態１に係る識別情報読取装置の構成及び動作につき説明する。図１は、実施形態１に係る識別情報読取装置の説明図である。また、図２は、実施形態１に係る識別情報読取装置の内部ブロック図である。
【００１８】
図１（ａ）に示すように、識別情報読取装置１００は、近接センサ１５５と読取部１６０と表示部１６５と照明部１７０とを有する構成となっている。この識別情報読取装置１００は、例えば、バーコード(二次元バーコードを含む)を光学的に読み取るバーコードリーダとして構成されている。
近接センサ１５５は、利用者１０の接近を検出する構成要素である。
【００１９】
読取部１６０は、利用者１０によって所持されている媒体２０から識別情報２１を光学的に読み取る構成要素である。図１に示す例では、読取部１６０は、筐体１５１の正面側に、筐体１５１から突出して設けられている。この読取部１６０は、読取口１６１が下向きに設けられている。なお、読取口１６１は、媒体２０と対向して、媒体２０の画像を読取部１６０の内部に取り込む部位である。
【００２０】
表示部１６５は、利用者１０への各種の指示や通知情報等を表示する構成要素である。表示部１６５は、筐体１５１の正面側で、かつ、読取部１６０の近傍に設けられている。
【００２１】
照明部１７０は、光を媒体２０に照射する構成要素である。照明部１７０は、読取口１６１の周囲又は内部に設けられている。
照明部１７０は、従来例の照明部７０と異なり、複数の色の照明光を照射することができる。
例えば、照明部１７０は、識別情報２１をスキャンする位置を指し示す場合に、スキャン用の照明光７６（図７（ｂ）及び図７（ｃ）参照）として、従来例の照明部７０と同様に、赤色の照明光を照射する。
また、照明部１７０は、読取結果を利用者１０に通知する場合に、図１（ｂ）及び図１（ｃ）に示すように、状況に応じて、読取成功用照明光１７６又は読取失敗用照明光１７８として、複数の色の中のいずれかの色に切り替えて、照明光を照射する。
【００２２】
なお、読取成功用照明光１７６は、識別情報２１の読み取りが成功した場合に、読取成功用に予め定められた形態の照明光である。本実施形態１では、照明部１７０は、読取成功用照明光１７６として、緑色の照明光を照射する。
一方、読取失敗用照明光１７８は、識別情報２１の読み取りが失敗した場合に、読取失敗用に予め定められた形態の照明光である。本実施形態１では、照明部１７０は、読取失敗用照明光１７８として、赤色の照明光を照射する。
また、照明部１７０は、照明光を点減させながら照射することができる。
【００２３】
図２に、識別情報読取装置１００の内部ブロックを示す。図２に示すように、識別情報読取装置１００は、主制御部１０５と読取制御部１１０と読取情報判別部１１５と表示制御部１２０と照明制御部１２５とを有している。これらの構成要素は、ＣＰＵ、ＲＯＭ、ＲＡＭ、及びプログラムによって実現される。
【００２４】
主制御部１０５は、識別情報読取装置１００全体の動作を制御する機能手段である。
読取制御部１１０は、読取部１６０の動作を制御する機能手段である。
読取情報判別部１１５は、読取部１６０によって読み取られた識別情報２１の内容を判別する機能手段である。
表示制御部１２０は、表示部１６５の動作を制御する機能手段である。
照明制御部１２５は、照明部１７０の動作を制御する機能手段である。
【００２５】
識別情報読取装置１００は、以下のように動作する。
識別情報読取装置１００は、利用者１０が接近すると、これに応答して、近接センサ１５５が検出信号を主制御部１０５に出力する。主制御部１０５は、検出信号の値に応じて、利用者１０の接近を検出する。そして、主制御部１０５は、読取制御部１１０、読取情報判別部１１５、表示制御部１２０、及び照明制御部１２５を介して、読取部１６０、表示部１６５、及び照明部１７０を稼動させる。
【００２６】
識別情報読取装置１００は、まず、表示制御部１２０が表示部１６５を稼動させる。これにより、識別情報読取装置１００は、表示部１６５が、利用者１０に対して、媒体２０を読取部１６０にかざす（提示する）旨の指示を表示する。利用者１０は、表示部１６５に表示された指示に従って、媒体２０を読取部１６０にかざす（提示する）。
【００２７】
このとき、識別情報読取装置１００は、照明制御部１２５が照明部１７０を稼動させるとともに、読取制御部１１０が読取部１６０を稼動させる。
これにより、識別情報読取装置１００は、まず、照明部１７０が、識別情報２１をスキャンする位置を指し示すための赤色の照明光（すなわち、スキャン用の照明光７６（図７（ｂ）及び図７（ｃ）参照））を媒体２０に照射する。なお、ここで、スキャン用の照明光７６が読取失敗用照明光１７８と同じ赤色の光であるものとして説明しているが、スキャン用の照明光７６を読取失敗用照明光１７８と異なる色の光になるようにしてもよい。
【００２８】
利用者１０は、識別情報２１がこのスキャン用の照明光７６の中に入るように、媒体２０の位置や傾きを合わせる。すると、読取部１６０が、媒体２０を検知して、媒体２０から識別情報２１を読み取る。なお、識別情報２１は、媒体２０の表面に、例えば、バーコード（二次元バーコードを含む）等の形態で設けられている。
【００２９】
識別情報読取装置１００は、読取部１６０が識別情報２１を読み取ると、これに応答して、読取情報判別部１１５が、識別情報２１の内容を判別する。読取情報判別部１１５は、識別情報２１の内容が判別できた場合に、識別情報２１の読み取りが成功したものとして、読取成功を表す信号を表示制御部１２０に出力する。一方、読取情報判別部１１５は、識別情報２１の内容が判別できなかった場合に、識別情報２１の読み取りが失敗したものとして、読取失敗を表す信号を表示制御部１２０に出力する。
【００３０】
識別情報読取装置１００は、読取情報判別部１１５から出力される信号に応答して、表示制御部１２０が表示部１６５を稼動させるとともに、照明制御部１２５が照明部１７０を稼動させる。
【００３１】
具体的には、識別情報読取装置１００は、図１（ｂ）に示すように、識別情報２１の読み取りが成功した場合に、表示部１６５が、読み取りが成功した旨の通知情報（例えば、「ＯＫ」等）を表示するとともに、照明部１７０が、読取成功用照明光１７６として、緑色の照明光を、点滅させながら照射する。すなわち、照明部１７０が、照明光を、赤色の照明光の点灯状態から緑色の照明光の点滅状態に切り替える。読取成功用照明光１７６は、媒体２０で反射する。その読取成功用照明光１７６は、読み取りが成功したことを表している。そのため、利用者１０は、手元の媒体２０に注視していながら、「読取成功」の読取結果を知ることができる。
【００３２】
一方、識別情報読取装置１００は、図１（ｃ）に示すように、識別情報２１の読み取りが失敗した場合に、表示部１６５が、読み取りが失敗した旨の通知情報（例えば、「もう一度かざしてください」や「ＮＧ」等）を表示するとともに、照明部１７０が、読取失敗用照明光１７８として、赤色の照明光を、点滅させながら照射する。すなわち、照明部１７０が、照明光を、赤色の照明光の点灯状態から点滅状態に切り替える。読取失敗用照明光１７８は、媒体２０で反射する。その読取失敗用照明光１７８は、読み取りが失敗したことを表している。そのため、利用者１０は、手元の媒体２０に注視していながら、「読取失敗」の読取結果を知ることができる。
【００３３】
なお、利用者１０は、識別情報２１の読み取りが失敗した場合に、媒体２０の位置や傾きを調整しながら、識別情報読取装置１００に、識別情報２１の読み取りを行わせる。
【００３４】
このように、識別情報読取装置１００は、表示部１６５が識別情報２１の読取結果の通知情報を表示するだけでなく、照明部１７０が通知情報に応じて読取成功用照明光１７６又は読取失敗用照明光１７８を照射するため、たとえ、利用者が手元の媒体２０を見ていても、読み取りが成功したのか否かを利用者１０に確実に伝達することができる。
【００３５】
また、この識別情報読取装置１００は、識別情報読取装置１００が騒がしい場所に設置されている場合や、利用者が聾唖者（ろうあしゃ）である場合であっても、読み取りが成功したのか否かを利用者１０に確実に伝達することができるので、このような場合に特に有効である。
【００３６】
なお、照明部１７０は、読取成功用照明光１７６又は読取失敗用照明光１７８を所定時間点滅させながら照射した後、消灯する。
【００３７】
以上の通り、本実施形態１に係る識別情報読取装置１００によれば、利用者１０が、媒体２０を読取部１６０にかざす（提示する）操作を行うために、手元の媒体２０を見ていても、照明部１７０の発光色や発光タイミングによって、読取結果（すなわち、読み取りが成功したのか否か）を利用者１０に確実に伝達することができる。
【００３８】
［実施形態２］
以下、図３及び図４を参照して、本実施形態２に係る識別情報読取装置の構成及び動作につき説明する。図３及び図４は、それぞれ、実施形態２に係る識別情報読取装置の説明図である。なお、各図において、実施形態１に係る識別情報読取装置１００と同様の構成要素（図１参照）については、同一の符号を付し（又は、末尾に英文字記号が付加された符号を付し）、それらの説明を省略する。
【００３９】
本実施形態２に係る識別情報読取装置１００ａは、実施形態１に係る識別情報読取装置１００と比較すると、識別情報２１の読み取りが成功した場合と失敗した場合とで、照明光の投影形状を変更する点で相違している。
【００４０】
具体的には、実施形態１に係る識別情報読取装置１００は、識別情報２１の読み取りが成功した場合に、照明部１７０が、読取成功用照明光１７６として、緑色の照明光を点滅させながら照射し（図１（ｂ）参照）、識別情報２１の読み取りが失敗した場合に、照明部１７０が、読取失敗用照明光１７８として赤色の照明光を点滅させながら照射する（図１（ｃ）参照）。
【００４１】
これに対して、本実施形態２に係る識別情報読取装置１００ａは、識別情報２１の読み取りが成功した場合に、照明部１７０ａが、読取成功用照明光１７６ａとして、投影形状が「○」形状に形成された照明光を点滅させながら照射し（図３（ｂ）参照）、識別情報２１の読み取りが失敗した場合に、照明部１７０ａが、読取失敗用照明光１７８ａとして、投影形状が「×」形状に形成された照明光を点滅させながら照射する（図３（ｃ）参照）。
【００４２】
識別情報読取装置１００ａのこのような照射機能は、識別情報読取装置１００ａの照明部１７０ａを、例えば、図４に示す構成にすることによって、実現できる。
【００４３】
例えば、図４に示すように、照明部１７０ａを、発光部１７１とフィルタ１７２とを備える構成とする。
【００４４】
発光部１７１は、白色の照明光１７４を発する構成要素である。発光部１７１は、例えば、蛍光灯や、ハロゲンランプ等によって構成される。
【００４５】
フィルタ１７２は、発光部１７１によって発せられた照明光を部分的に遮断する構成要素である。フィルタ１７２は、塗料が投影形状に対応して塗布された透明な板状の部材である。フィルタ１７２は、読取成功用フィルタ１７２ａ及び読取失敗用フィルタ１７２ｂによって構成されている。
読取成功用フィルタ１７２ａは、塗料が「○」形状以外の部分に塗布された、緑色の透明な板状の部材である。
読取失敗用フィルタ１７２ｂは、塗料が「×」形状以外の部分に塗布された、赤色の透明な板状の部材である。
読取成功用フィルタ１７２ａ及び読取失敗用フィルタ１７２ｂは、図示せぬスライド機構によってスライド自在に支持されている。
【００４６】
識別情報読取装置１００ａは、以下のように動作する。
識別情報読取装置１００ａは、まず、照明制御部１２５（図２参照）が、照明部１７０の発光部１７１を稼動させる。これにより、識別情報読取装置１００ａは、発光部１７１が、スキャン用の照明光として白色の照明光１７４を媒体２０に照射する。
利用者１０は、識別情報２１がこのスキャン用の照明光の中に入るように、媒体２０の位置を合わせる。すると、読取部１６０が、媒体２０を検知して、媒体２０から識別情報２１を読み取る。
識別情報読取装置１００ａは、読取部１６０が識別情報２１を読み取ると、これに応答して、読取情報判別部１１５が、識別情報２１の内容を判別する。
【００４７】
この後、識別情報読取装置１００ａは、読取結果に応じて、表示制御部１２０（図２参照）が表示部１６５を稼動させるとともに、照明制御部１２５（図２参照）が照明部１７０の発光部１７１及び図示せぬスライド機構を稼動させる。
このとき、発光部１７１は、白色の照明光１７４を点滅させながら照射する。
また、このとき、図示せぬスライド機構は、読取成功用フィルタ１７２ａ及び読取失敗用フィルタ１７２ｂのうち、照明制御部１２５によって指示された側のフィルタ（すなわち、読取結果に対応する側のフィルタ）を、発光部１７１と媒体２０との間にスライドさせる。
これにより、識別情報読取装置１００ａは、発光部１７１から点滅されながら照射された白色の照明光１７４を、読取結果に対応する側のフィルタによって、色を変更するとともに、部分的に遮断する。その結果、識別情報読取装置１００ａは、読取成功用照明光１７６ａ又は読取失敗用照明光１７８ａを点滅させながら照射する。
【００４８】
具体的には、識別情報読取装置１００ａは、識別情報２１の読み取りが成功した場合に、照明部１７０ａが、読取成功用照明光１７６ａとして、投影形状が「○」形状に形成された緑色の照明光を点滅させながら照射する。すなわち、照明部１７０ａが、照明光を、白色の照明光の点灯状態から、「○」形状でかつ緑色の照明光の点滅状態に切り替える。そのため、利用者１０は、手元の媒体２０に注視していながら、「読取成功」の読取結果を知ることができる。
【００４９】
一方、識別情報読取装置１００ａは、識別情報２１の読み取りが失敗した場合に、照明部１７０ａが、読取失敗用照明光１７８ａとして、投影形状が「×」形状に形成された赤色の照明光を点滅させながら照射する。すなわち、照明部１７０ａが、照明光を、白色の照明光の点灯状態から赤色の照明光の点滅状態に切り替える。そのため、利用者１０は、手元の媒体２０に注視していながら、「読取失敗」の読取結果を知ることができる。
【００５０】
なお、投影形状は、「○」又は「×」以外に、「ＯＫ」又は「ＮＧ」、「成功」又は「失敗」等の文字であってもよい。また、読取成功用照明光１７６ａ及び読取失敗用照明光１７８ａの色は、読取成功用フィルタ１７２ａ及び読取失敗用フィルタ１７２ｂの色を変更することによって、任意に変更することができる。
【００５１】
このように、識別情報読取装置１００ａは、表示部１６５が識別情報２１の読取結果の通知情報を表示するだけでなく、照明部１７０ａが通知情報に応じて読取成功用照明光１７６ａ又は読取失敗用照明光１７８ａを照射するため、たとえ、利用者が手元の媒体２０を見ていても、読み取りが成功したのか否かを利用者１０に確実に伝達することができる。
【００５２】
なお、照明部１７０ａは、読取成功用照明光１７６ａ又は読取失敗用照明光１７８ａを所定時間点滅させながら照射した後、消灯する。
【００５３】
この照明部１７０ａの構成は、照明光の色を問わないのであれば、また、「○」形状に形成された照明光を照射するだけでよいのであれば、例えば、図５に示す構成に変更することができる。図５は、実施形態２に係る照明部の変形例を示す図である。
【００５４】
図５に示す例では、照明部１７０ａは、発光部１７１ａ，１７１ｂと投影部１７３とを備えた構成となっている。
【００５５】
発光部１７１ａ，１７１ｂは、それぞれ、任意の色の光を発する構成要素である。
発光部１７１ａは、ハロゲンランプ等によって構成されている。発光部１７１ａは、スキャン用の照明光（すなわち、識別情報２１をスキャンする位置を指し示すための照明光）として、任意の色（図５（ａ）に示す例では、赤色）の光を発する。以下、発光部１７１ａが発光する光を「赤色照明光１７４ａ」と称する。
一方、発光部１７１ｂは、レーザダイオード等によって構成されている。発光部１７１ｂは、読取成功用照明光１７６ａとして、任意の色（図５（ｂ）に示す例では、赤色）の光を発する。以下、発光部１７１ｂが発光する光を「読取成功用照明光１７６ａ」と称する。
【００５６】
投影部１７３は、発光部１７１ｂから発せられた読取成功用照明光１７６ａを反射して媒体２０に照射する構成要素である。投影部１７３は、発光部１７１ｂから発せられた読取成功用照明光１７６ａを反射するための構成要素として、ハーフミラー１７３ａを備えている。
【００５７】
発光部１７１ａは、媒体２０（図３参照）と対向するように配置されている。投影部１７３は、その発光部１７１ａの背面に配置されている。なお、発光部１７１ａは、投影部１７３から見た形成がほぼ円形に構成されている。投影部１７３は、その側方に、発光部１７１ｂが配置されている。投影部１７３のハーフミラー１７３ａは、発光部１７１ｂが発した光（読取成功用照明光１７６ａ）を発光部１７１ａに向けて屈折させるように、配置されている。すなわち、ハーフミラー１７３ａは、ハーフミラー１７３ａ及び発光部１７１ａによって形成される角度とハーフミラー１７３ａ及び発光部１７１ｂによって形成される角度とが等しくなるように、配置されている。
【００５８】
なお、発光部１７１ｂが発した光（読取成功用照明光１７６ａ）は、投影部１７３のハーフミラー１７３ａによって屈折されて、発光部１７１ａに向けて進行し、発光部１７１ａを通過する。その際に、読取成功用照明光１７６ａは、発光部１７１ａによって部分的に遮られる。その結果、読取成功用照明光１７６ａは、ほぼ「○」形状に形成されて、媒体２０に照射される。
【００５９】
このように構成された照明部１７０ａは、識別情報２１を読み取る場合に、図５（ａ）に示すように、スキャン用の照明光として、赤色照明光１７４ａを照射して、識別情報２１の読み取りを行う。
【００６０】
この後、照明部１７０ａは、識別情報２１の読み取りが成功した場合に、発光部１７１ａが消灯するとともに、発光部１７１ｂが点滅しながら赤色の光を発する。このとき、発光部１７１ｂが発した光は、前記した通り、発光部１７１ａを通過する際に、発光部１７１ａによって部分的に遮られる。その結果、照明部１７０ａは、図５（ｂ）に示すように、読取成功用照明光１７６ａとして、投影形状がほぼ「○」形状に形成された赤色の照明光を点滅させながら照射する。
【００６１】
なお、照明部１７０ａは、識別情報２１の読み取りが失敗した場合に、発光部１７１ａがスキャン用の照明光を点滅させながら照射する。これにより、識別情報読取装置１００ａは、識別情報２１の読み取りが適正に終了していないことを利用者１０に通知する。
【００６２】
以上の通り、本実施形態２に係る識別情報読取装置１００ａによれば、本実施形態１に係る識別情報読取装置１００と同様に、利用者１０が、媒体２０を読取部１６０にかざす（提示する）操作を行うために、手元の媒体２０を見ていても、読取結果（すなわち、読み取りが成功したのか否か）を利用者１０に確実に伝達することができる。
しかも、本実施形態２に係る識別情報読取装置１００ａによれば、本実施形態１に係る識別情報読取装置１００と比べて、照明部１７０ａからの照明光の投影形状が読取結果（すなわち、読み取りが成功したのか否か）を表しているため、例えば、色覚特性のある利用者１０に対しても、読取結果を確実に伝達することができる。
【００６３】
［実施形態３］
以下、図６を参照して、本実施形態３に係る識別情報読取装置の構成及び動作につき説明する。図６は、実施形態３に係る識別情報読取装置の説明図である。
【００６４】
本実施形態３に係る識別情報読取装置１００ｂは、実施形態１に係る識別情報読取装置１００と比較すると、読取方向及び照明方向が上向きになっている点で相違している。
【００６５】
具体的には、実施形態１に係る識別情報読取装置１００は、読取口１６１が下向きに設けられている（図１（ａ）参照）。そのため、読取部１６０の読取方向及び照明部１７０の照明方向は、下向きになっている（図１（ｂ）及び図１（ｃ）参照）。
【００６６】
これに対して、本実施形態３に係る識別情報読取装置１００ｂは、読取口１６１ｂが上向きに設けられている（図６（ａ）参照）。そのため、読取部１６０ｂの読取方向及び照明部１７０ｂの照明方向は、上向きになっている（図６（ｂ）及び図６（ｃ）参照）。
【００６７】
識別情報読取装置１００ｂの動作は、本実施形態１に係る識別情報読取装置１００と基本的に同様であるが、以下の点で、本実施形態１に係る識別情報読取装置１００と異なっている。なお、ここでは、識別情報読取装置１００ｂは、照明部１７０ｂの発光部１７１ｂが、例えば、赤（Ｒ）、青（Ｂ）、及び緑（Ｇ）の３色のＬＥＤによって構成されているものとして説明する。
【００６８】
すなわち、識別情報読取装置１００ｂは、媒体２０が照明部１７０ｂの上方に配置される構成となっているため、照明部１７０ｂの発光部１７１ｂが、照明光を上向きに照射する。
なお、発光部１７１ｂは、スキャン用の照明光１７４ｂを照射する場合に、３色のＬＥＤを同時に点灯することによって、白色の照明光を照射する。
また、発光部１７１ｂは、読取成功用照明光１７６ｂを照射する場合に、緑色のＬＥＤを点灯することによって、緑色の照明光を照射する。
また、発光部１７１ｂは、読取失敗用照明光１７８ｂを照射する場合に、赤色のＬＥＤを点灯することによって、赤色の照明光を照射する。
なお、発光部１７１ｂは、読取結果を利用者１０に通知するために、点灯・点滅等の発光タイミングを変えることも可能である。
【００６９】
照明光は、媒体２０を透過する。利用者１０は、その透過した光の色や発光タイミングを識別することによって、スキャン用の照明光１７４ｂ、読取成功用照明光１７６ｂ、及び読取失敗用照明光１７８ｂをそれぞれ識別することができる。
【００７０】
以上の通り、本実施形態３に係る識別情報読取装置１００ｂによれば、実施形態１に係る識別情報読取装置１００と同様に、利用者１０が、媒体２０を読取部１６０ｂにかざす（提示する）操作を行うために、手元の媒体２０を見ていても、照明部１７０ｂの発光色及び発光タイミングによって、読取結果（すなわち、読み取りが成功したのか否か）を利用者１０に確実に伝達することができる。
【００７１】
本発明は、前記した実施形態に限定されることなく、本発明の要旨を逸脱しない範囲で種々の変更や変形を行うことができる。
例えば、識別情報読取装置は、バーコード（二次元バーコードを含む）に限らず、英数字で記述されたコードやその他の識別情報の読み取るものであってもよい。
また、例えば、読取成功用照明光１７６は、緑色以外の色（例えば、青色等）であってもよい。読取失敗用照明光１７８は、赤色以外の色（例えば、黄色等）であってもよい。
【符号の説明】
【００７２】
１０    利用者
２０    媒体
２１    識別情報（バーコード等）
１００    識別情報読取装置（バーコードリーダ等）
１０５    主制御部
１１０    読取制御部
１１５    読取情報判別部
１２０    表示制御部
１２５    照明制御部
１５５    近接センサ
１６０    読取部
１６１    読取口
１６５    表示部
１７０    照明部
１７６    読取成功用照明光（緑色照明光）
１７８    読取失敗用照明光（赤色照明光）
【図１】
2010286947.tif 000003
【図２】
2010286947.tif 000004
【図３】
2010286947.tif 000005
【図４】
2010286947.tif 000006
【図５】
2010286947.tif 000007
【図６】
2010286947.tif 000008
【図７】
2010286947.tif 000009